(57)【要約】  【課題】  講義に対する学生の出欠状況の確認において、出席の偽装を防止し、しかも在否管理における作業量及び作業時間の増大を防止する在否判定方法、在否判定システム、中央装置及びコンピュータプログラムを提供する。  【解決手段】  ウェブサーバコンピュータを用いた中央装置１０と、該中央装置１０と接続（セッション）を確立して通信する携帯電話機等の端末装置２０とを用い、中央装置１０では、講義に出席すべき学生が操作する端末装置２０から接続要求に対して接続を確立し、端末装置２０から複数回の在席情報を受信した場合に、受信した在席情報が正当なもので、しかも確立した接続が切断されていない場合に、当該端末装置２０を操作する学生が在席していると判定する。【選択図】      図１
2005128885.tif 000002
【特許請求の範囲】
【請求項１】
中央装置及び該中央装置と接続を確立して通信する端末装置を用いた在否判定方法において、
前記端末装置は、
前記中央装置に対して接続を要求し、
前記中央装置は、
前記端末装置からの要求に対して接続を確立し、
前記端末装置は、
在席を示す在席情報を前記中央装置へ複数回送信し、
前記中央装置は、
確立した接続が切断されることなく、複数回の在席情報を受信した場合に、在席と判定する
ことを特徴とする存否判定方法。
【請求項２】
中央装置及び該中央装置との接続を確立して通信する端末装置を備える在否判定システムにおいて、
前記端末装置は、
前記中央装置へ接続を要求する接続要求を送信する手段を備え、
前記中央装置は、
受信した接続要求に対し、該接続要求の送信元の前記端末装置との接続を確立する手段を備え、
前記端末装置は、更に、
在席を示す在席情報を前記中央装置へ送信する送信手段を備え、
前記中央装置は、更に、
確立した接続が切断されることなく、複数回の在席情報を受信したか否かを判定する接続確立判定手段と、
確立した接続が切断されることなく、複数回の在席情報を受信したと判定した場合に、在席と判定する在否判定手段と
を備える
ことを特徴とする在否判定システム。
【請求項３】
前記中央装置は、更に、
接続を確立する前記端末装置に、セッションＩＤを付与する手段と、
付与したセッションＩＤに対応するセッションデータを記録する手段と
を備え、
前記接続確立判定手段は、受信した在席情報が、付与したセッションＩＤに基づき送信されているか否かをセッションデータと照合することで、確立した接続が切断されていないことを判定すべくなしてある
ことを特徴とする請求項２に記載の在否判定システム。
【請求項４】
複数の端末装置を備え、
前記中央装置が、夫々の前記端末装置から受信する複数の在席情報は、受信すべき順序が設定されており、
前記中央装置は、更に、
２回目以降に受信すべき第１の在席情報を一の端末装置から受信した後、第１の在席情報より以前に受信すべき第２の在席情報を他の端末装置から受信した場合、他の端末装置から受信した第２の在席情報を無効と判定する手段を備える
ことを特徴とする請求項２又は請求項３に記載の在否判定システム。
【請求項５】
前記中央装置は、更に、受信した在席情報の正当性を判定する正当性判定手段を備えることを特徴とする請求項２乃至請求項４のいずれかに記載の在否判定システム。
【請求項６】
前記中央装置と通信する管理装置を更に備え、
前記中央装置は、更に、
照合用情報を前記管理装置へ送信する手段を備え、
該管理装置は、
受信した照合用情報を出力する手段を備え、
前記端末装置は、更に、
照合用情報の入力を受け付ける手段を備え、
前記送信手段は、入力を受け付けた照合用情報を在席情報として送信すべくなしてあり、
前記中央装置は、更に、
在席情報として受信した照合用情報を、前記中央装置へ送信した照合用情報と照合する手段を備え、
前記正当性判定手段は、照合用情報の照合結果に基づき正当性を判定すべくなしてある
ことを特徴とする請求項５に記載の在否判定システム。
【請求項７】
前記中央装置は、更に、
講義に対応付けて出欠状況を記録するテーブルと、
前記在否判定手段の判定に基づきテーブルに出欠状況を記録する手段と
を備えることを特徴とする請求項２乃至請求項６のいずれかに記載の在否判定システム。
【請求項８】
前記端末装置は、可搬型の無線機であることを特徴とする請求項２乃至請求項７のいずれかに記載の在否判定システム。
【請求項９】
接続を確立した端末装置と通信することが可能な中央装置において、
前記端末装置から接続を要求する接続要求を受信する手段と、
受信した接続要求に対し、該接続要求の送信元の前記端末装置との接続を確立する手段と、
前記端末装置から在席を示す在席情報を受信する手段と、
確立した接続が切断されることなく、前記端末装置から複数回の在席情報を受信したか否かを判定する手段と、
確立した接続が切断されることなく、複数回の在席情報を受信したと判定した場合に、在席と判定する手段と
を備えることを特徴とする中央装置。
【請求項１０】
接続を確立した装置と通信することが可能なコンピュータに、在否を判定させるコンピュータプログラムにおいて、
コンピュータに、接続を確立した装置から在席を示す在席情報を受信した場合に、確立した接続が切断されることなく、複数回の在席情報を受信しているか否かを判定させる手順と、
コンピュータに、確立した接続が切断されることなく、複数回の在席情報を受信したと判定した場合に、在席と判定させる手順と
を実行させることを特徴とするコンピュータプログラム。
【発明の詳細な説明】
【技術分野】
【０００１】
サーバコンピュータ等の中央装置及び該中央装置と接続を確立して通信する携帯電話機等の端末装置とを用い、大学の講義の出欠等の在否を判定する在否判定方法、その在否判定方法を適用した在否判定システム、その在否判定システムに用いられる中央装置、及びその中央装置を実現するコンピュータプログラムに関し、特に偽装出席を防止する在否判定方法、在否判定システム、中央装置及びコンピュータプログラムに関する。
【背景技術】
【０００２】
大学の講義に対する学生の出欠状況を管理する方法は多種多様であり、その方法の一つとして、学生に出席カードを提出させ、それを講師又は講師から任命された担当者が講義終了後に整理し、例えば表計算用ソフトウェアを用いて出欠状況を手作業にて入力し、コンピュータ管理する方法が挙げられる。ところが出席カードの提出及び表計算ソフトウェアへの入力等の作業により出欠状況を管理する方法に対しては、作業量及び作業時間に関しての問題が指摘されており、特に学生数が多い講義においては作業量及び作業時間の増大化が無視することができない問題となる。
【０００３】
そこで通信網に接続してデータ通信を行うブラウジング機能を備えた携帯電話機等の端末装置と、該端末装置と通信することが可能なウェブサーバコンピュータ等の中央装置とを用い、出席していることを示すデータを端末装置から中央装置へ送信することにより、中央装置にて出欠状況を管理する出席登録システムが提案されている（例えば、非特許文献１参照）。
【非特許文献１】海野崇生，他１名共著，「ブラウザ機能搭載携帯端末による出席登録システム」，情報処理学会研究報告，社団法人情報処理学会，２０００年１０月１３日発行，Ｖｏｌ．２０００，Ｎｏ．９５，ｐ．４５−５１
【発明の開示】
【発明が解決しようとする課題】
【０００４】
しかしながら例えば非特許文献１に記載された従来のシステムでは、講義に出席していない学生が、教室外から出席していることを示すデータを送信することもできるので、出席を偽装することが可能であるという問題がある。講義中に講師がパスワードを発表し、発表したパスワードを出席していることを示すデータとして端末装置に入力させ送信させるという方法も考えられるが、出席している学生が携帯電話機である端末装置の通話機能及び電子メール送受信機能等の機能を用いて、出席していない学生にパスワードを連絡することで、出席していない学生でも容易に出席を偽装することが可能となる。
【０００５】
本発明は斯かる事情に鑑みてなされたものであり、端末装置から中央装置へ、在席を示す在席情報を複数回送信させ、中央装置では講義開始時に確立させた接続（セッション）が切断されることなく、複数回の在席情報を受信したと判定した場合に、在席と判定することにより、偽装出席を防止し、しかも在否管理における作業量及び作業時間の増大を招くことがない在否判定方法、在否判定システム、中央装置及びコンピュータプログラムの提供を目的とする。
【課題を解決するための手段】
【０００６】
第１発明に係る在否判定方法は、中央装置及び該中央装置と接続を確立して通信する端末装置を用いた在否判定方法において、前記端末装置は、前記中央装置に対して接続を要求し、前記中央装置は、前記端末装置からの要求に対して接続を確立し、前記端末装置は、在席を示す在席情報を前記中央装置へ複数回送信し、前記中央装置は、確立した接続が切断されることなく、複数回の在席情報を受信した場合に、在席と判定することを特徴とする。
【０００７】
本発明の在否判定方法では、ウェブサーバコンピュータ等の中央装置と、携帯電話機等の端末装置とを用い、中央装置では、端末装置との間に確立した接続が切断されることなく、複数回の在否情報を受信した場合に、在席と判定することにより、端末装置を操作する者、例えば学生が、端末装置を操作し、中央装置との間で確立された接続の切断を必要とする通話機能及び電子メール送受信機能等の機能を用いて出席していない者と連絡を取ることを防止することができるので、不在者が外部から在席情報を送信することで出席していると偽装することを防止することが可能であり、また在否管理のため、在否を確認する出席カードを提出させ、それを整理し、例えば表計算用ソフトウェアに手作業で入力するという様な作業が不要であるため、作業量及び作業時間の増大を防止することが可能である。
【０００８】
第２発明に係る在否判定システムは、中央装置及び該中央装置との接続を確立して通信する端末装置を備える在否判定システムにおいて、前記端末装置は、前記中央装置へ接続を要求する接続要求を送信する手段を備え、前記中央装置は、受信した接続要求に対し、該接続要求の送信元の前記端末装置との接続を確立する手段を備え、前記端末装置は、更に、在席を示す在席情報を前記中央装置へ送信する送信手段を備え、前記中央装置は、更に、確立した接続が切断されることなく、複数回の在席情報を受信したか否かを判定する接続確立判定手段と、確立した接続が切断されることなく、複数回の在席情報を受信したと判定した場合に、在席と判定する在否判定手段とを備えることを特徴とする。
【０００９】
本発明の在否判定システムでは、ウェブサーバコンピュータ等の中央装置を用い、中央装置では、端末装置との間に確立した接続が切断されることなく、複数回の在否情報を受信した場合に、在席と判定することにより、端末装置の操作者が、端末装置を操作し、中央装置との間で確立された接続の切断を必要とする通話機能及び電子メール送受信機能等の機能を用いて在席していない者と連絡を取ることを防止することができるので、不在者が外部から在席情報を送信することで出席していると偽装することを防止することが可能であり、また在否管理のため、在否を確認する出席カードを提出させ、それを整理し、例えば表計算用ソフトウェアに手作業で入力するという様な作業が不要であるため、作業量及び作業時間の増大を防止することが可能である。
【００１０】
第３発明に係る在否判定システムは、第２発明において、前記中央装置は、更に、接続を確立する前記端末装置に、セッションＩＤを付与する手段と、付与したセッションＩＤに対応するセッションデータを記録する手段とを備え、前記接続確立判定手段は、受信した在席情報が、付与したセッションＩＤに基づき送信されているか否かをセッションデータと照合することで、確立した接続が切断されていないことを判定すべくなしてあることを特徴とする。
【００１１】
本発明の在否判定システムでは、端末装置にセッションＩＤを付与し、中央装置に記憶したセッションデータと照合することでセッション、即ち接続の確立状況を判定することにより、中央装置が基本的な通信機能として備えている機能を転用することとなるので、新たな機能の追加を抑えて、偽装出席の防止等の効果を得ることが可能である。
【００１２】
第４発明に係る在否判定システムは、第２発明又は第３発明において、複数の端末装置を備え、前記中央装置が、夫々の前記端末装置から受信する複数の在席情報は、受信すべき順序が設定されており、前記中央装置は、更に、２回目以降に受信すべき第１の在席情報を一の端末装置から受信した後、第１の在席情報より以前に受信すべき第２の在席情報を他の端末装置から受信した場合、他の端末装置から受信した第２の在席情報を無効と判定する手段を備えることを特徴とする。
【００１３】
本発明の在否判定システムでは、第１の在席情報を一の端末装置から受信した後、第１の在席情報より以前に受信すべき第２の在席情報を他の端末装置から受信した場合、他の端末装置から受信した第２の在席情報を無効と判定する。即ち一の端末装置から第１の在席情報を受信した時点で、第２の在席情報の受付を締め切る。この構成により、在席している者が、複数回の在席情報の送信を完了させた後、在席していない者に複数回分の在席情報を連絡した場合でも、在席していない者が操作する端末装置から送信される第２の在席情報の受付が締め切られており、無効と判定されるので、不在者が外部から在席情報を送信することで出席していると偽装することを防止することが可能である。
【００１４】
第５発明に係る在否判定システムは、第２発明乃至第４発明のいずれかにおいて、前記中央装置は、更に、受信した在席情報の正当性を判定する正当性判定手段を備えることを特徴とする。
【００１５】
本発明の在否判定システムでは、在席情報の正当性を判定することにより、不当な在席情報を送信しての偽装出席を防止することが可能である。
【００１６】
第６発明に係る在否判定システムは、第５発明において、前記中央装置と通信する管理装置を更に備え、前記中央装置は、更に、照合用情報を前記管理装置へ送信する手段を備え、該管理装置は、受信した照合用情報を出力する手段を備え、前記端末装置は、更に、照合用情報の入力を受け付ける手段を備え、前記送信手段は、入力を受け付けた照合用情報を在席情報として送信すべくなしてあり、前記中央装置は、更に、在席情報として受信した照合用情報を、前記中央装置へ送信した照合用情報と照合する手段を備え、前記正当性判定手段は、照合用情報の照合結果に基づき正当性を判定すべくなしてあることを特徴とする。
【００１７】
本発明の在否判定システムでは、パスワード等の照合用情報を、例えば講師が操作する管理装置から出力させ、出力された照合用情報を講師に発表させ、発表された照合用情報を在席情報として用いることにより、不在者は発表された照合用情報を確認することができず、また在席者が端末装置の通話機能及び電子メール送受信機能等の機能を用いて不在者に照合用情報を連絡するためには接続の切断が必要となるので、不在者への照合用情報の連絡の防止となり、このため不在者が在席情報を送信して出席を偽装することを防止することが可能となる。
【００１８】
第７発明に係る在否判定システムは、第２発明乃至第６発明のいずれかにおいて、前記中央装置は、更に、講義に対応付けて出欠状況を記録するテーブルと、前記在否判定手段の判定に基づきテーブルに出欠状況を記録する手段とを備えることを特徴とする。
【００１９】
本発明の在否判定システムでは、例えば大学の講義に対する学生の出席状況の管理に適用することにより、授業への出欠状況を確認することを目的として、在否を確認する出席カードを提出させ、それを整理し、例えば表計算用ソフトウェアに手作業で入力するという様な作業が不要であるため、作業量及び作業時間の増大を防止することが可能である。
【００２０】
第８発明に係る在否判定システムは、第２発明乃至第７発明のいずれかにおいて、前記端末装置は、可搬型の無線機であることを特徴とする。
【００２１】
本発明の在否判定システムでは、例えば普及率が高く常時携帯を期待することができる携帯電話機を端末機として用いることにより、容易に実用化することが可能であり、しかも端末装置に要する出費を最低限に抑えることが可能である。
【００２２】
第９発明に係る中央装置は、接続を確立した端末装置と通信することが可能な中央装置において、前記端末装置から接続を要求する接続要求を受信する手段と、受信した接続要求に対し、該接続要求の送信元の前記端末装置との接続を確立する手段と、前記端末装置から在席を示す在席情報を受信する手段と、確立した接続が切断されることなく、前記端末装置から複数回の在席情報を受信したか否かを判定する手段と、確立した接続が切断されることなく、複数回の在席情報を受信したと判定した場合に、在席と判定する手段とを備えることを特徴とする。
【００２３】
本発明の中央装置では、携帯電話機等の端末装置との間で確立した接続が切断されることなく、複数回の在否情報を受信した場合に、在席と判定することにより、端末装置の操作者が、端末装置を操作し、確立された接続の切断を必要とする通話機能及び電子メール送受信機能等の機能を用いて在席していない者と連絡を取ることを防止することができるので、不在者が外部から在席情報を送信することで出席していると偽装することを防止することが可能であり、また在否判定のため、在否を確認する出席カードを提出させ、それを整理し、例えば表計算用ソフトウェアに手作業で入力するという様な作業が不要であるため、作業量及び作業時間の増大を防止することが可能である。
【００２４】
第１０発明に係るコンピュータプログラムは、接続を確立した装置と通信することが可能なコンピュータに、在否を判定させるコンピュータプログラムにおいて、コンピュータに、接続を確立した装置から在席を示す在席情報を受信した場合に、確立した接続が切断されることなく、複数回の在席情報を受信しているか否かを判定させる手順と、コンピュータに、確立した接続が切断されることなく、複数回の在席情報を受信したと判定した場合に、在席と判定させる手順とを実行させることを特徴とする。
【００２５】
本発明のコンピュータプログラムでは、ウェブサーバコンピュータ等のコンピュータにて実行することにより、コンピュータが、携帯電話等の端末装置と接続を確立することが可能な中央装置として動作し、端末装置との間で確立した接続が切断されることなく、複数回の在否情報を受信した場合に、在席と判定することにより、端末装置の操作者が、端末装置を操作し、中央装置との間で確立された接続の切断を必要とする通話機能及び電子メール送受信機能等の機能を用いて在席していない者と連絡を取ることを防止することができるので、不在者が外部から在席情報を送信することで出席していると偽装することを防止することが可能であり、また在否管理のため、在否を確認する出席カードを提出させ、それを整理し、例えば表計算用ソフトウェアに手作業で入力するという様な作業が不要であるため、作業量及び作業時間の増大を防止することが可能である。
【発明の効果】
【００２６】
本発明に係る在否判定方法、在否判定システム、中央装置及びコンピュータプログラムでは、ウェブサーバコンピュータ等の中央装置と、該中央装置と接続（セッション）を確立して通信する携帯電話機等の端末装置とを用い、例えば大学の講義の出欠状況の管理に適用する場合に、中央装置では、学生が操作する端末装置からの接続要求に対して接続を確立し、端末装置から複数回の在席情報、例えば講師が発表したパスワード等の照合用情報を受信した場合に、受信した照合用情報が正当なもので、しかも確立した接続が切断されていない場合に、当該端末装置を操作する学生が講義に出席していると判定する。
【００２７】
この構成により、端末装置の操作者である学生が、端末装置を操作し、中央装置との間で確立された接続の切断を必要とする通話機能及び電子メール送受信機能等の機能を用いて在席していない者と連絡を取ることを防止することができるので、講義中に発表された照合用情報である在席情報を在席している者が外部の不在者に通知し通知を受けた外部の不在者が在席情報を送信して出席を偽装するという方法による不正行為を防止することが可能である等、優れた効果を奏する。また在否管理のため、在否を確認する出席カードを提出させ、それを整理し、例えば表計算用ソフトウェアに手作業で入力するという様な作業を行うことなく、出欠状況の判定を中央装置にて行うことができるので、作業量及び作業時間の増大を防止することが可能である等、優れた効果を奏する。
【００２８】
さらに本発明では、端末装置から中央装置へ送信する在席情報に順序を設定し、中央装置では、２回目以降に受信すべき第１の在席情報を一の端末装置から受信した後、第１の在席情報より以前に受信すべき第２の在席情報を他の端末装置から受信した場合、他の端末装置から受信した第２の在席情報を無効と判定する。即ち一の端末装置から第１の在席情報を受信した時点で、第２の在席情報の受付を締め切る。
【００２９】
この構成により、在席している者が、複数回の在席情報の送信を完了させた後、在席していない者に複数回分の在席情報を連絡した場合でも、在席していない者が操作する端末装置から送信される第２の在席情報の受付が締め切られており、無効と判定されるので、不在者が外部から在席情報を送信することで出席していると偽装することを防止することが可能である等、優れた効果を奏する。
【発明を実施するための最良の形態】
【００３０】
以下、本発明をその実施の形態を示す図面に基づいて詳述する。
【００３１】
図１は本発明の在否判定システムを示す概念図である。図１中１０はウェブサーバコンピュータ等のコンピュータを用いた本発明の中央装置であり、中央装置１０は大学及び各種事業体等の機関にて管理されており、またインターネット及びＬＡＮ等のデータ通信網１００に接続し、データ通信網１００を介して講義及び該講義の出欠状況を管理するウェブページを提供している。提供されるウェブページを、学生等の操作者が閲覧する場合、可搬型の無線機である携帯電話機等の端末装置２０を操作して、データ通信網１００を介して中央装置１０との間の接続（セッション）を確立することで端末装置２０は、中央装置１０と通信することが可能となり、操作者はウェブページを閲覧することができる。また学生である操作者に対して講義を行い、講義の出欠状況を管理する講師は、携帯電話機等の管理装置３０を操作し、管理装置３０を用いて中央装置１０との接続を確立することで、中央装置１０から提供されるウェブページを閲覧することが可能となる。
【００３２】
図２は本発明の在否判定システムの構成を示すブロック図である。中央装置は、本発明のコンピュータプログラム２００及びデータ等の各種情報を記録したＣＤ−ＲＯＭ等の記録媒体３００から各種情報を読み取るＣＤ−ＲＯＭドライブ等の補助記憶手段１２、補助記憶手段１２により読み取った各種情報を記録するハードディスク及びＲＡＩＤ(Redundant Arrays of Inexpensive Disks) 等の記録手段１３を備えている。そして記録手段１３から本発明のコンピュータプログラム２００及びデータ等の各種情報を読み取り、情報を一時的に記憶するＲＡＭ(Random Access Memory)等の記憶手段１４に記憶させて、ＣＰＵ(Central Processing Unit) 等の制御手段１１により実行することで、ウェブサーバコンピュータは本発明の中央装置１０として動作する。さらに中央装置１０は、データ通信網１００に接続して他の装置と通信を行うための通信手段１５を備えている。
【００３３】
また記録手段１３には、出欠状況を管理するウェブページを出力させるためのＣ−ＨＴＭＬ(Compact HyperText Markup Language) 、ＭＭＬ(Mobile Markup Language)及びＨＤＭＬ(Handheld Device Markup Language) 等のページ記述言語で記述された各種情報が記録されている。さらに記録手段１３の記録領域の一部は、システムを利用する講師及び学生等の利用者の個人情報を記録する個人テーブル（個人ＴＢＬ）１３ａ、講義の詳細情報を記録する講義テーブル（講義ＴＢＬ）１３ｂ、講義中の在否確認に関する情報を記録する在否確認テーブル（在否確認ＴＢＬ）１３ｃ、学生が履修している講義に関する情報を記録する受講管理テーブル（受講管理ＴＢＬ）１３ｄ、並びに講義に対する出欠状況を記録する在否情報テーブル（在否情報ＴＢＬ）１３ｅ等の各種テーブルとして用いられており、制御手段１１の制御により記録手段１３に確保された各種テーブルにアクセスして情報の読取／書込を行う。また中央装置１０が備える記録手段１３の記録領域の一部を各種テーブルとして用いるのではなく、中央装置１０に接続する他の装置が備える記録手段の記録領域の一部を各種テーブルとして用い、必要に応じて各種テーブルにアクセスして情報の読取／書込を行うようにしても良い。
【００３４】
端末装置２０は、装置全体の通信処理及び音声処理等の各種処理を制御する制御手段２１、各種処理に必要なプログラム及びデータ等の情報を記録するＲＯＭ(Read Only Memory)及びＲＡＭ等の記録手段２２を備えている。さらに制御手段２１は、音声信号の入出力及び送受信を制御する通信制御手段２３を制御し、通信制御手段２３は、通話用のデジタル音声信号及びページ記述言語で記述された各種情報等の情報を送受信するアンテナ等の通信手段２４を制御する。また制御手段２１は、スピーカ等の音声出力手段２５及びマイク等の音声入力手段２６に出力又は入力される音声信号の変換処理を行う音声処理手段２７を制御する。音声処理手段２７による変換処理とは、音声出力手段２５から出力すべくデジタル信号をアナログ信号に変換する処理、及び音声入力手段２６から入力されたアナログ音声信号をデジタル音声信号に変換する処理である。そして端末装置２０は、制御手段２１の制御により、英数字及び各種命令等のキー入力を受け付ける押し釦等のキー入力手段２８から入力を受け付け、キー入力された情報及び送受信する情報等の各種情報を表示する液晶ディスプレイ等の表示手段２９に必要な情報を表示させる。また記録手段２２にはページ記述言語で記述された各種情報をウェブページとして表示するための閲覧用ソフトウェアプログラム（以下、ブラウザという）が記録されており、ブラウザの処理により受信した中央装置１０からデータ通信網１００を介して受信した情報をウェブページとして表示手段２９から表示させる。
【００３５】
管理装置３０は、制御手段３１、記録手段３２、通信制御手段３３、通信手段３４、音声出力手段３５、音声入力手段３６、音声処理手段３７、キー入力手段３８及び表示手段３９を備えている。
【００３６】
次に本発明の中央装置１０が備える各種テーブルについて説明する。図３は本発明の中央装置１０が備える個人テーブル１３ａの記録内容を概念的に示す説明図である。個人テーブル１３ａには、個人ＩＤ、認証情報、氏名、及び属性等の各種情報が対応付けられたレコードとして記録されている。個人ＩＤとは、個人を識別するための識別情報であり、例えば学籍番号が用いられる。認証情報とは所謂パスワードであり、個人ＩＤ及び認証情報の組み合わせの正当性を確認することにより、個人の認証が行われる。なお携帯電話機である端末装置２０及び管理装置３０の電話番号を個人ＩＤ又は認証情報を代替する情報として用い、端末装置２０及び管理装置３０において、個人ＩＤ及び認証情報の入力を省略するようにしても良い。属性とは、講師又は学生を示す情報である。
【００３７】
図４は本発明の中央装置１０が備える講義テーブル１３ｂの記録内容を概念的に示す説明図である。講義テーブル１３ｂには、講義を特定する講義番号、講義名称、講師氏名、学科名、及び授業回数等の各種情報が対応付けられたレコードとして記録されている。
【００３８】
図５は本発明の中央装置１０が備える在否確認テーブル１３ｃの記録内容を概念的に示す説明図である。在否確認テーブル１３ｃには、講義番号、授業回数、確認回数、１回目照合用情報、２回目照合用情報、在席情報収集時刻、及び受付完了フラグ等の各種情報が対応付けられたレコードとして記録されている。講義番号は、講義テーブル１３ｂに記録されている講義番号と対応している。確認回数は、講義番号及び授業回数の組み合わせにより特定される講義において、何度目の在否確認であるかを示す情報である。１回の講義では１度又は複数度の在否確認を行うことになる。例えば講義の開始時のみに１度の在否確認を行う場合、並びに講義の開始時に１度目、講義の中盤に２度目、及び講義の終了時に３度目と合計３度の在否確認を行う場合等がある。そして１度目及び２度目等の夫々の在否確認時においては、後述する処理により夫々複数回の在席情報の収集を行う。なお以降の説明では１度につき２回の在席情報の収集を行うものとする。１回目照合用情報及び２回目照合用情報とは、講義番号及び授業回数により特定される講義の確認回数により特定される在否確認時において、在席情報として用いられるパスワードであり、２回分の照合用情報が設定されている。在席情報収集時刻とは、在席情報を収集した時刻を示す。受付完了フラグとは、照合用情報を受け付ける状態にあるか否かを示すフラグである。ここでは各在否確認について２回の在席情報の収集を行うため、１回目の照合用情報を受付可能な段階では「０」が記録され、１回目の照合用情報の受付を完了した段階では「１」が記録される。更に例えば３回の在席情報の収集を行う場合、２回目の照合用情報の受付を完了した段階で「２」が記録される。
【００３９】
図６は本発明の中央装置１０が備える受講管理テーブル１３ｄの記録内容を概念的に示す説明図である。受講管理テーブル１３ｄには、個人ＩＤ及び講義番号等の各種情報が対応付けられたレコードとして記録されている。個人ＩＤは、個人テーブル１３ａに記録されている個人ＩＤと対応しており、講義番号は、講義テーブル１３ｂに記録されている講義番号と対応している。
【００４０】
図７は本発明の中央装置１０が備える在否情報テーブル１３ｅの記録内容を概念的に示す説明図である。在否情報テーブルには、夫々のレコードを特定する出席ＩＤに対応付けて、個人ＩＤ、講義番号、授業回数、確認回数、及び在否状況等の各種情報が記録されている。個人ＩＤは、個人テーブル１３ａに記録されている個人ＩＤと対応している。講義番号、授業回数及び確認回数は、例えば在否確認テーブル１３ｃに記録されている講義番号、授業回数及び確認回数と対応している。在否状況は、講義番号及び授業回数により特定される講義において、確認回数により特定される在否確認時の判定の結果を示す情報であり、出席又は欠席を示す情報が記録される。
【００４１】
次に本発明の在否判定システムが備える各種装置の処理について説明する。図８は本発明の在否判定システムが備える中央装置１０及び管理装置３０の在否判定補助処理を示すフローチャートである。在否判定補助処理とは、開講中の講義に対する学生の在否状況を判定するにあたって補助的に行う処理であり、講師が操作する管理装置３０と中央装置１０との間で行われる処理である。
【００４２】
講師は、例えば講義の開始時に、中央装置１０から送信されるウェブページを管理装置３０から表示させる操作を行う。具体的には管理装置３０をデータ通信網１００に接続させ、データ通信網１００上の記録位置及び該記録位置に記録されているウェブページを表示させるための各種情報を指示するＵＲＬ(Universal Resource Locator)等の指示情報を、管理装置３０に入力する操作又は予め記録している指示情報に基づき中央装置１０に接続させる操作を行う。管理装置３０が中央装置１０に接続することにより、個人ＩＤ及び認証情報の送信を要求するウェブページを表示させるための情報が中央装置１０から管理装置３０へ送信され、管理装置３０では、受信した情報に基づくウェブページをログイン画面として表示手段３９に表示する。そして講師は、個人ＩＤ及び認証情報を管理装置３０に入力し、中央装置１０へ送信させる操作を行い、中央装置１０では、受信した個人ＩＤ及び認証情報に基づき、個人テーブル１３ａにアクセスして、個人ＩＤ及び認証情報の正当性を確認する認証処理、並びに学生又は講師を判定する属性判定処理を実行する。
【００４３】
中央装置１０では、属性判定処理を実行することにより、個人ＩＤ及び認証情報の送信元の装置が講師により操作される管理装置３０であると判定した後、講義テーブル１３ｂにアクセスして、当該講師が担当する講義を特定する講義名称及び授業回数等の情報を抽出し、抽出した情報を例えば講義の一覧表の形式に配置し、管理装置３０へ送信することにより、学生の在否の判定対象となる講義の選択を要求する。管理装置３０では、受信した情報に基づいて、講義を特定する講義名称及び授業回数並びに確認回数を選択して、選択した情報を中央装置１０へ送信する。
【００４４】
中央装置１０では、記憶手段１４に記憶させたコンピュータプログラム２００を実行する制御手段１１の制御により、特定された講義及び確認回数の１回目の照合用情報を、例えば乱数を用いて生成し（Ｓ１０１）、生成した１回目の照合用情報を、講義を特定する講義番号及び授業回数並びに確認回数に対応付けて在否確認テーブル１３ｃに記録し（Ｓ１０２）、通信手段１５からデータ通信網１００を介して管理装置３０へ１回目の照合用情報を送信する（Ｓ１０３）。
【００４５】
管理装置３０では、制御手段３１の制御により、通信手段３４にて１回目の照合用情報を受信し（Ｓ１０４）、受信した１回目の照合用情報を、ブラウザの処理によりウェブページとして表示手段３９に表示（出力）する（Ｓ１０５）。講師は表示手段３９から表示された照合用情報を、例えば口頭により、学生に対して発表する。その後、講師は、例えば口頭にて学生が１回目の照合用情報の送信を完了したことを確認し、２回目の照合用情報の送信を要求する入力を管理装置３０に対して行う。管理装置３０では、制御手段３１の制御により、キー入力手段３８から２回目の照合用情報の送信を要求する入力を受け付け（Ｓ１０６）、２回目の照合用情報の送信を要求する照合用情報送信要求を通信手段３４からデータ通信網１００を介して管理装置３０へ送信する（Ｓ１０７）。
【００４６】
中央装置１０では、記憶手段１４に記憶させたコンピュータプログラム２００を実行する制御手段１１の制御により、通信手段１５にて照合用情報送信要求を受信し（Ｓ１０８）、受信した照合用情報送信要求に基づき、当該講義の２回目の照合用情報を生成し（Ｓ１０９）、生成した２回目の照合用情報を、講義を特定する講義番号及び授業回数並びに確認回数に対応付けて在否確認テーブル１３ｃに記録し（Ｓ１１０）、通信手段１５からデータ通信網１００を介して管理装置３０へ２回目の照合用情報を送信する（Ｓ１１１）。
【００４７】
管理装置３０では、制御手段３１の制御により、通信手段３４にて２回目の照合用情報を受信し（Ｓ１１２）、受信した２回目の照合用情報を、ブラウザの処理によりウェブページとして表示手段３９に表示（出力）する（Ｓ１１３）。講師は表示手段３９から表示された照合用情報を、例えば口頭により、学生に対して発表する。このようにして１度目の在否確認時における在否判定補助処理が行われる。なお１度の在否確認につき３回以上在席情報の収集を行う場合、上述した処理による照合用情報の送受信処理を更に繰り返すこととなる。また管理装置３０が携帯電話機であるものとして在否判定補助処理を説明したが、管理装置３０は講義室に設置された机上型の装置であっても良く、その場合、照合用情報を表示手段３９から表示するのではなく、プリンタ等の印刷手段から用紙に印刷することにより出力しても良い。さらに照合用情報は、中央装置１０にて生成するのではなく、講師が決定し、決定した照合用情報を管理装置３０から中央装置１０へ送信することにより在否確認テーブル１３ｃに記録するようにしてもよい。
【００４８】
図９及び図１０は本発明の在否判定システムが備える中央装置１０及び端末装置２０の在否判定処理を示すフローチャートである。在否判定処理とは、開講中の講義に対する学生の在否状況を判定する処理であり、学生が操作する端末装置２０と中央装置１０との間で行われる処理である。
【００４９】
学生は、講師の指示に従って、中央装置１０から送信されるウェブページを端末装置２０から表示させる操作を行う。具体的には端末装置２０をデータ通信網１００に接続させ、データ通信網１００上の記録位置及び該記録位置に記録されているウェブページを表示させるための各種情報を指示するＵＲＬ等の指示情報を、端末装置２０に入力する操作又は予め記録している指示情報に基づき中央装置１０に接続させる操作を行う。端末装置２０は、制御手段２１の制御により、キー入力手段２８から操作を受け付け、受け付けた操作に基づいて、接続を要求する信号である接続要求を、通信手段２４からデータ通信網１００を介して中央装置１０へ送信する（Ｓ２０１）。
【００５０】
中央装置１０は、記憶手段１４に記憶させたコンピュータプログラム２００を実行する制御手段１１の制御により、通信手段１５にて接続要求を受信し（Ｓ２０２）、受信した接続要求に対し、接続を確立する対象となる端末装置２０に、セッションＩＤを付与し（Ｓ２０３）、付与したセッションＩＤに対応するセッションデータを記憶手段１４に記憶し（Ｓ２０４）、接続要求の送信元の装置である端末装置２０との接続（セッション）を確立する（Ｓ２０５）。
【００５１】
そして中央装置１０では、接続を確立した端末装置２０へ、個人ＩＤ及び認証情報の送信を要求するウェブページを表示させるための情報を送信し、端末装置２０では、受信した情報に基づくウェブページをログイン画面として表示手段２９に表示する。学生は、個人ＩＤ及び認証情報を端末装置２０に入力し、中央装置１０へ送信させる操作を行い、中央装置１０では、受信した個人ＩＤ及び認証情報に基づき、個人テーブル１３ａにアクセスして、個人ＩＤ及び認証情報の正当性を確認する認証処理、並びに学生又は講師を判定する属性判定処理を実行する。なお認証処理において正当性が確認されなかった場合、中央装置１０から端末装置２０へその旨を通知し、再度個人ＩＤ及び認証情報の送信を要求する処理、又は接続を切断する処理がなされる。
【００５２】
中央装置１０では、属性判定処理を実行することにより、個人ＩＤ及び認証情報の送信元の装置が学生により操作される端末装置２０であると判定した後、受講管理テーブル１３ｄ及び講義テーブル１３ｂにアクセスして、当該学生が受講する講義を特定する講義名称及び授業回数等の情報を抽出し、抽出した情報を例えば講義の一覧表の形式に配置し、端末装置２０へ送信することにより、受講する講義の選択を要求する。端末装置２０では、受信した情報に基づいて、講義を特定する講義名称及び授業回数並びに確認回数を選択して、選択した情報を中央装置１０へ送信する。
【００５３】
そして中央装置１０では、記憶手段１４に記憶させたコンピュータプログラム２００を実行する制御手段１１の制御により、特定された講義に際し在席していることを示す１回目の在席情報の送信を要求する在席情報送信要求を、通信手段１５からデータ通信網１００を介して端末装置２０へ送信する（Ｓ２０６）。なおここでいう在席とは、在席情報送信時に当該学生が講義に出席中であること、例えば教室内で講師又は該講師の補助者或いは補助装置から発表される照合用情報を確認することができる状態にあることを意味するものであり、単に当該講義を受講する登録を行っていることを意味するものではない。また在席という表現を用いているが学生が着席状態にあるか否かは問題ではない。
【００５４】
端末装置２０では、制御手段２１の制御により、通信手段２４から在席情報送信要求を受信し（Ｓ２０７）、受信した在席情報送信要求を、ブラウザの処理によりウェブページとして表示手段２９に表示する（Ｓ２０８）。
【００５５】
図１１は本発明の在否判定システムが備える端末装置２０に表示される画像を示す説明図である。図１１はウェブページとして表示された在席情報送信要求であり、上方には講義名称として「分散情報システム」という文言が示されており、その下方には、１回目の在席情報の送信を要求すべく「開始パスワード入力」という文言が示され、更にその下方には１回目の在席情報の入力欄と、該入力欄に入力された１回目の在席情報を送信する処理を実行させるための「送信」と表示された画像とが示されている。学生は、講師から発表される１回目の照合用情報を確認し、確認した１回目の照合用情報を図１１に例示した所定の入力欄に１回目の在席情報として入力し、「送信」と表示された画像を指示する入力を端末装置２０に対して行う。
【００５６】
フローチャートに戻り、端末装置２０では、制御手段２１の制御により、キー入力手段２８から１回目の在席情報として１回目の照合用情報の入力を受け付け（Ｓ２０９）、受け付けた１回目の照合用情報を１回目の在席情報として、通信手段２４からデータ通信網１００を介して中央装置１０へ送信する（Ｓ２１０）。
【００５７】
中央装置１０では、記憶手段１４に記憶させたコンピュータプログラム２００を実行する制御手段１１の制御により、通信手段１５にて１回目の在席情報を受信し（Ｓ２１１）、受信した１回目の在席情報が、ステップＳ２０３にて付与したセッションＩＤに基づき送信されているか否かを、記憶手段１４に記憶しているセッションデータと照合することで、ステップＳ２０５にて確立した接続が切断されることなく、１回目の在席情報を受信したか否かを判定する（Ｓ２１２）。即ち１回目の在席情報の送信元の装置は、ログイン時にセッションを確立してから切断を行っていない装置であるか否かを判定する。
【００５８】
ステップＳ２１２において、確立した接続が切断されることなく、１回目の在席情報を受信したと判定した場合（Ｓ２１２：ＹＥＳ）、中央装置１０では、記憶手段１４に記憶させたコンピュータプログラム２００を実行する制御手段１１の制御により、当該講義の１回目の在席情報の受付処理中であるか否かを判定する（Ｓ２１３）。受付処理中であるか否かの判定は、在否確認テーブル１３ｃの受付完了フラグの項目に記録されている情報を参照することにより行い、具体的には受付完了フラグの項目に「０」が記録されていれば受付処理中であると判定し、「１」が記録されていれば受付を完了しているため受付処理中ではないと判定する。
【００５９】
ステップＳ２１３において、受付処理中であると判定した場合（Ｓ２１３：ＹＥＳ）、中央装置１０では、記憶手段１４に記憶させたコンピュータプログラム２００を実行する制御手段１１の制御により、１回目の在席情報として受信した１回目の照合用情報を、在否確認テーブル１３ｃに記録している１回目の照合用情報と照合し（Ｓ２１４）、１回目の照合用情報の照合結果に基づいて、ステップＳ２１１にて受信した１回目の在席情報の正当性を判定する（Ｓ２１５）。ステップＳ２１４にて照合の対象となる在否確認テーブル１３ｃに記録している１回目の照合用情報とは、図８を用いて説明した在否判定補助処理のステップＳ１０３にて管理装置３０へ送信した照合用情報と同一である。
【００６０】
ステップＳ２１２において、１回目の在席情報の送信元の装置は、ログイン時にセッションを確立してから切断を行っていない装置ではないと判定した場合（Ｓ２１２：ＮＯ）、不正なアクセスであると見なしてその旨を示す情報を当該端末装置２０へ送信し、以降の処理は行わず、当該端末装置２０に対する在否判定処理を終了する。またステップＳ２１３において、受付処理中ではない判定した場合（Ｓ２１３：ＮＯ）、受信した１回目の在席情報は無効であると見なしてその旨を示す情報を当該端末装置２０へ送信し、以降の処理は行わず、当該端末装置２０に対する在否判定処理を終了する。
【００６１】
ステップＳ２１５において、受信した１回目の在席情報が正当であると判定した場合（Ｓ２１５：ＹＥＳ）、中央装置１０では、記憶手段１４に記憶させたコンピュータプログラム２００を実行する制御手段１１の制御により、２回目の在席情報の送信を要求する在席情報送信要求を、通信手段１５からデータ通信網１００を介して端末装置２０へ送信する（Ｓ２１６）。
【００６２】
端末装置２０では、制御手段２１の制御により、通信手段２４から在席情報送信要求を受信し（Ｓ２１７）、受信した在席情報送信要求を、ブラウザの処理によりウェブページとして表示手段２９に表示する（Ｓ２１８）。
【００６３】
図１２は本発明の在否判定システムが備える端末装置２０に表示される画像を示す説明図である。図１２はウェブページとして表示された在席情報送信要求であり、上方には２回目の在席情報の送信を要求すべく「完了パスワード入力」という文言が示され、その下方には２回目の在席情報の入力欄と、該入力欄に入力された２回目の在席情報を送信する処理を実行させるための「送信」と表示された画像とが示されている。更にその下方には、「注意！通信を切断しないで下さい」という接続の維持についての注意事項が示されている。学生は、講師から発表される２回目の照合用情報を確認し、確認した２回目の照合用情報を図１１に例示した所定の入力欄に２回目の在席情報として入力し、「送信」と表示された画像を指示する入力を端末装置２０に対して行う。
【００６４】
フローチャートに戻り、端末装置２０では、制御手段２１の制御により、キー入力手段２８から２回目の在席情報として２回目の照合用情報の入力を受け付け（Ｓ２１９）、受け付けた２回目の照合用情報を２回目の在席情報として、通信手段２４からデータ通信網１００を介して中央装置１０へ送信する（Ｓ２２０）。
【００６５】
中央装置１０では、記憶手段１４に記憶させたコンピュータプログラム２００を実行する制御手段１１の制御により、通信手段１５にて２回目の在席情報を受信し（Ｓ２２１）、受信した２回目の在席情報が、ステップＳ２０３にて付与したセッションＩＤに基づき送信されているか否かを、記憶手段１４に記憶しているセッションデータと照合することで、ステップＳ２０５にて確立した接続が切断されることなく、２回目の在席情報を受信したか否かを判定する（Ｓ２２２）。即ち２回目の在席情報の送信元の装置は、ログイン時にセッションを確立してから切断を行っていない装置であるか否かを判定する。
【００６６】
ステップＳ２２２において、確立した接続が切断されることなく、２回目の在席情報を受信したと判定した場合（Ｓ２２２：ＹＥＳ）、中央装置１０では、記憶手段１４に記憶させたコンピュータプログラム２００を実行する制御手段１１の制御により、中央装置１０では、記憶手段１４に記憶させたコンピュータプログラム２００を実行する制御手段１１の制御により、２回目の在席情報として受信した２回目の照合用情報を、在否確認テーブル１３ｃに記録している２回目の照合用情報と照合し（Ｓ２２３）、２回目の照合用情報の照合結果に基づいて、ステップＳ２２１にて受信した２回目の在席情報の正当性を判定する（Ｓ２２４）。ステップＳ２２３にて照合の対象となる在否確認テーブル１３ｃに記録している２回目の照合用情報とは、図８を用いて説明した在否判定補助処理のステップＳ１１１にて管理装置３０へ送信した照合用情報と同一である。
【００６７】
ステップＳ２２２において、２回目の在席情報の送信元の装置は、ログイン時にセッションを確立してから切断を行っていない装置ではないと判定した場合（Ｓ２２２：ＮＯ）、不正なアクセスであると見なしてその旨を示す情報を当該端末装置２０へ送信し、以降の処理は行わず、当該端末装置２０に対する在否判定処理を終了する。
【００６８】
ステップＳ２２４において、受信した２回目の在席情報が正当であると判定した場合（Ｓ２２４：ＹＥＳ）、即ち確立した接続が切断されることなく、複数回の在席情報を受信した場合、中央装置１０では、記憶手段１４に記憶させたコンピュータプログラム２００を実行する制御手段１１の制御により、在席情報の送信元の端末装置２０を操作する学生は在席していると判定し（Ｓ２２５）、在否確認テーブル１３ｃに記録されている受付完了フラグを「０」から「１」に更新することで１回目の在席情報受付を完了し（Ｓ２２６）、更に在否確認テーブル１３ｃに在席情報収集時刻を記録し、在否情報テーブル１３ｅに、個人ＩＤにより特定される個人と、講義番号及び授業回数に特定される講義並びに確認回数とに対応付けた在否状況として、出席を示す情報を記録する（Ｓ２２７）。ステップＳ２２６は、２回目の在席情報を最初に受信した時点で、１回目の在席情報の受付を締め切るための処理である。即ちステップＳ２２６の処理により、２回目の在席情報を一の端末装置２０から受信した後、２回目の在席情報より以前に受信すべき１回目の在席情報を他の端末装置２０から受信した場合、他の端末装置２０から受信した１回目の在席情報を無効と判定することになる。１回目の在席情報が無効であるか否かの判定はステップＳ２１３にて行われる。
【００６９】
そして中央装置１０では、出席が確認された後、在否判定処理が完了したことを示す情報を端末装置２０へ送信し、端末装置２０から表示させる。図１３は本発明の在否判定システムが備える端末装置２０に表示される画像を示す説明図である。図１３はウェブページとして表示された、出席が確認されたことを示す情報であり、氏名に敬称を加えた「ヨネサカタロウさん」、講義名称「分散情報システム」、及び日付「９月２０日」が示され、その下方に「出席手続を完了しましたので、通信を切断して結構です」という出席が確認されたことを示す文言が示される。このようにして１度目の在否確認時における在否判定処理が行われる。また１回の講義において複数度の在否確認を行う場合、上述した在否判定補助処理及び在否判定処理を繰り返すこととなり、全ての在否確認時に出席と判定された学生が、その講義に出席していると判断される。
【００７０】
在否判定処理においては、講義に出席している学生が、１回目の在席情報の送信及び２回目の在席情報の送信の間に、端末装置２０の通話機能及び電子メール送受信機能等の機能を用いて、在席情報を不在者に通知する場合には、接続を切断する必要があるため、例えばステップＳ２２２の処理にて不正なアクセスであると見なされることとなるので、不在者への通知を抑制する効果がある。しかも講義に出席している学生が、２回目の在席情報を送信した後、１回目及び２回目の在席情報を不在者に通知した場合には、ステップＳ２１３の処理にて１回目の在席情報の受付処理中ではなく無効であると判定されるため、出席の偽装を防止する効果がある。
【００７１】
このようにして在否情報テーブル１３ｅに記録された在否状況は、講義に対応付けられた学生の出欠状況として、適宜適切な形式で閲覧することが可能となる。
【００７２】
前記実施の形態では、講義の出欠の確認に適用する形態を示したが、本発明はこれに限らず、会議、会合、学会、及び各種催し物等の個人の在否状況を確認する様々な状況に適用することが可能である。特に出入り自由な会合において確認回数を複数に設定することにより、遅刻、中座、早退等の判定を行うことが可能である等、様々な状況に適用することが可能である。
【００７３】
また前記実施の形態では、接続の切断状況の確認としてセッションＩＤ及びセッションデータを用いる形態を示したが、本発明はこれに限らず、接続が維持されていることを検出する様々な方法を適用することが可能である。
【図面の簡単な説明】
【００７４】
【図１】本発明の在否判定システムを示す概念図である。
【図２】本発明の在否判定システムの構成を示すブロック図である。
【図３】本発明の中央装置が備える個人テーブルの記録内容を概念的に示す説明図である。
【図４】本発明の中央装置が備える講義テーブルの記録内容を概念的に示す説明図である。
【図５】本発明の中央装置が備える在否確認テーブルの記録内容を概念的に示す説明図である。
【図６】本発明の中央装置が備える受講管理テーブルの記録内容を概念的に示す説明図である。
【図７】本発明の中央装置が備える在否情報テーブルの記録内容を概念的に示す説明図である。
【図８】本発明の在否判定システムが備える中央装置及び管理装置の在否判定補助処理を示すフローチャートである。
【図９】本発明の在否判定システムが備える中央装置及び端末装置の在否判定処理を示すフローチャートである。
【図１０】本発明の在否判定システムが備える中央装置及び端末装置の在否判定処理を示すフローチャートである。
【図１１】本発明の在否判定システムが備える端末装置に表示される画像を示す説明図である。
【図１２】本発明の在否判定システムが備える端末装置に表示される画像を示す説明図である。
【図１３】本発明の在否判定システムが備える端末装置に表示される画像を示す説明図である。
【符号の説明】
【００７５】
１０  中央装置
１３ａ  個人テーブル（個人ＴＢＬ）
１３ｂ  講義テーブル（講義ＴＢＬ）
１３ｃ  在否確認テーブル（在否確認ＴＢＬ）
１３ｄ  受講管理テーブル（受講管理ＴＢＬ）
１３ｅ  在否情報テーブル（在否情報ＴＢＬ）
２０  端末装置
３０  管理装置
１００  データ通信網
２００  コンピュータプログラム
３００  記録媒体
【図１】
2005128885.tif 000003
【図２】
2005128885.tif 000004
【図３】
2005128885.tif 000005
【図４】
2005128885.tif 000006
【図５】
2005128885.tif 000007
【図６】
2005128885.tif 000008
【図７】
2005128885.tif 000009
【図８】
2005128885.tif 000010
【図９】
2005128885.tif 000011
【図１０】
2005128885.tif 000012
【図１１】
2005128885.tif 000013
【図１２】
2005128885.tif 000014
【図１３】
2005128885.tif 000015